(57)【特許請求の範囲】
【請求項１】
底面が遮断される円筒形の本体１０と；前記本体の底面に固定されてその上段に鋸の歯形突起２２を有する複数個の弾性片２１が一体に形成される固定口２０と；前記本体内に回転可能に挿入されてその上段に蓋７０が挿入または脱去される長さの長い円筒形の外部ケース３０と；前記外部ケース内に固定されてその内面に一つまたは二つの螺旋溝４１を有する円筒形の中間ケース４０と；前記中間ケース内に回転可能に挿入されてその周縁に一つ以上のガイド溝５１が長さ方向に形成され、底面には前記弾性片２１が嵌め込まれる孔５２およびその孔の内面に鋸の歯形突起２２と結合される多数個の鋸の歯形突起５３が一体に形成される円筒形の内部ケース５０と；前記内部ケース内に挿入されてその周縁のガイド突起６１が前記ガイド溝５１を貫通して螺旋溝４１に嵌め込まれることによって昇降する取付口６０と；前記取付口の上段に取り付けられ、それとともに昇降する石鹸１００および；前記外部ケース上段の挿入部３１に嵌められる蓋７０で構成されることを特徴とする携帯用石鹸。
【請求項２】
固定口２０の弾性片２１は円形に配列して形成されることを特徴とする請求項１に記載の携帯用石鹸。
【発明の詳細な説明】
【０００１】
【発明が属する技術分野】
本発明は、石鹸をリップスティックのように、ケースに出入可能に内蔵して携帯が容易且つ便利に使用できるようにした携帯用石鹸に関するものである。
より詳細には、石鹸をリップスティック容器状のケースに内蔵して平常時にはケース内に保管し、使用時には必要なだけを突出させて石鹸洗いができるようにすることによって、携帯および保管が容易且つ便利に使用できるようにした携帯用石鹸に関するものである。
【０００２】
【従来技術】
一般に、石鹸は水溶性のため、水と接触すると分解しやすくなり、硬度が落ちて変形される短所がある。従って、石鹸を長く使用するためには携帯および保管時に水との接触を遮断しなければならず、さらに外部よりの衝撃もなるべく避けなければならない。
しかし、今までの石鹸はその多くが四角形または楕円形などに形成されて一定の大きさと嵩を有し、さらにこれら石鹸は石鹸箱や紙素材の包装紙に入れて携帯または保管するため、これもまた嵩が大きいことから携帯と使用が不便であって、破損に有意しなければならない。
また、このような石鹸は長く使用すると摩耗によって次第に小さくなるにも係わらず、石鹸箱の嵩は変わらないため、外部よりの衝撃が加えられる場合、石鹸の流動ないしは損傷されることが多かった。
さらに、石鹸を使用する度に、一々石鹸全体を手に付けなければならないため、使用が煩わしくて不便であって、不必要な量の消費が発生する短所がある。
そして、身体の特定部位、たとえば腋や首などにのみ石鹸を使用する時にも石鹸全体を手で取って所望の部位を擦らなければならないため、石鹸の過多摩耗による石鹸寿命の短縮と使用が不便という問題点があった。
【０００３】
【発明が解決しようとする課題】
したがって、本発明はこのような問題点を解決するためのものであり、その技術的な課題は携帯が容易で、使用が便利且つ寿命の長い携帯用石鹸を提供することにある。
【０００４】
【課題を解決するための手段】
前記の課題を達成するため、本発明は石鹸をリップスティック容器状のケースに内蔵して出入可能にすることによって、平常時にはケース内に収納して保管し、使用する時には必要なだけを突出させて所望の部位に擦りつけることができるようにしたものである。
このように構成された本発明は、石鹸およびケースの嵩が小さく、携帯と保管が簡便であり、使用する時には所望の部位だけを石鹸洗いすることができて使用が簡便であり、石鹸の過多摩耗を防止して寿命が延長されることは勿論、取扱が簡便で、破損を防止する効果がある。
【０００５】
以下、本発明を添付の図面によって詳細に説明すると次の通りである。
図１は本発明の分解斜視図であり、図２は本発明の組立正断面図であり、図３は要部の組立平断面図を示すものである。
図示したように、本発明は、底面が遮断される円筒形の本体１０と；前記本体の底面に固定されてその上段に鋸の歯形突起２２を有する複数個の弾性片２１が一体に形成される固定口２０と；前記本体内に回転可能に挿入されてその上段に蓋７０が挿入または脱去される長さの長い円筒形の外部ケース３０と；前記外部ケース内に固定されてその内面に一つまたは二つの螺旋溝４１を有する円筒形の中間ケース４０と；前記中間ケース内に回転可能に挿入されてその周縁に一つ以上のガイド溝５１が長さ方向に形成され、底面には前記弾性片２１が嵌め込まれる孔５２およびその孔の内面に鋸の歯形突起２２と結合される多数個の鋸の歯形突起５３が一体に形成される円筒形の内部ケース５０と；前記内部ケース内に挿入されてその周縁には前記ガイド溝５１を貫通して螺旋溝４１に嵌め込まれるガイド溝６１が形成される取付口６０と；前記取付口の上段に取り付けられる棒形状の石鹸１００および；前記外部ケース上段の挿入部３１に嵌められる蓋７０で構成される。
【０００６】
本体１０は底面が遮断される円筒形であり、合成樹脂または金属材料で形成され、使用する時には回転体の役割をするようになる。
固定口２０は本体の底面に挿入されて堅固に付着され、その上段中心には鋸の歯形突起２２を有する複数個（４個）の弾性片２１が一体に形成され、前記複数個の弾性片は分割されて円形に配列して形成される。
【０００７】
外部ケース３０はその下段が本体と固定口の間の底面に回転可能に挿入され、上部周縁には蓋７０の挿入のために厚さの薄い挿入部３１と環形突起３２が一体に形成される。
中間ケース４０は外部ケースの内面に堅固に固定され、その内面には取付口６０の昇降を案内するための一つまたは二つの螺旋溝４１が長さ方向に形成される。
内部ケース５０は中間ケース内部に回転可能に挿入され、その周緑に長さ方向のガイド溝５１が外部と貫通されるように形成され、底面には固定口２０の弾性片２１が嵌め込まれる孔５２と、この孔５２の内面に前記鋸の歯形突起２２と噛み合わされる鋸の歯形突起５３が一体に形成される。
【０００８】
取付口６０は底面に小さい直径の孔が形成された円筒形に形成され、周縁にはガイド溝５１を貫通して中間ケースの螺旋溝４１に嵌め込まれるガイド突起６１が形成される。
石鹸１００は棒形状であり、前記取付口に取り付けられる。
【０００９】
組立時には図２および図３のように、本体１０の底面に固定口２０を付着し、本体と固定口の間に外部ケース３０を回転可能に挿入する。
そして、外部ケース内に中間ケース４０を挿入して固定した後、中間ケース内に内部ケース５０を挿入し、その下段の鋸の歯形突起５３を固定口の鋸の歯形突起２２と噛み合わせる。
次いで、内部ケース内に石鹸１００を取り付ける取付口６０を挿入してその側面のガイド突起６１がガイド溝５１を貫通して螺旋溝４１に嵌め込まれるようにした後、最終的に外部ケースの挿入部３１に蓋７０をする。
このようにすれば、蓋７０はその内面の凹溝７１が挿入部３１の環形突起３２と結合される瞬間に固定されて人為的に脱去しない限り外れず、石鹸１００は外部に露出しない。
【００１０】
前記のように構成された本発明の携帯用石鹸の機構および作用について説明すると次の通りである。
図２のように、組立状態で石鹸１００を使用するために使用者が蓋７０を開けた後、本体１０を回転させると、本体に固定される固定口２０も回転する。
固定口が回転すると、それと鋸の歯形突起２２、５３を通じて連結されている内部ケース５０が回転するため、前記内部ケースのガイド溝５１に嵌め込まれているガイド突起６１によって取付口６０が回転する。
この時、取付口のガイド突起６１はガイド溝５１を貫通して外部ケース３０に固定設置される中間ケース４０の螺旋溝４１に嵌め込まれているため、内部ケースによって回転すると同時に螺旋溝に沿って上昇するようになる。
従って、取付口が上昇すると図４のようにその上段に取り付けられる石鹸１００も上昇し、使用者は同じ動作を繰返して石鹸１００が適量突出するまで本体１０を回転させる。
【００１１】
石鹸が適量突出状態で使用者は所望の部位に石鹸洗いをすることができ、石鹸洗いが終了した後、本体１０を反対方向に回転すると、逆動作によって石鹸１００は再度ケース内部に収納され、収納が完了した後、蓋７０をすればよい。
蓋をした状態で使用者はリップスティックのようにケースをハンドバッグやポケットなどに入れて携帯するかまたは別の場所に保管すればよい。
前記の動作のうち、本体を回転せずに外部ケース３０を回転しても同じ動作によって石鹸１００が出入する。
【００１２】
【発明の効果】
上述したように、本発明は石鹸をリップスティック容器状のケースに内蔵して平常時にはケース内に保管し、使用する時にのみ突出させて使用するため、携帯および保管が簡便であって、携帯時には衝撃による破損などを防止することができる。
さらに、石鹸を直接手で取らず、身体の必要な部位に局部的に石鹸洗いをすることができて使用が便利で、石鹸の早期摩耗を防止するため、寿命が長く、石鹸洗いが容易な効果がある。
そして、携帯および保管の時、水との接触が遮断されて石鹸の変形および破損を防止し、極めて経済的な効果がある。
【図面の簡単な説明】
【図１】本発明の分解斜視図である。
【図２】本発明の組立断面図である。
【図３】図２のＡ‐Ａ線断面図である。
【図４】本発明の動作状態を示す正断面図である。
【符号の説明】
１０    本体
２０    固定口
２１    弾性片
２２    鋸の歯形突起
３０    外部ケース
３１    挿入部
３２    突起
４０    中間ケース
４１    螺旋溝
５０    内部ケース
５１    ガイド溝
６０    取付口
６１    ガイド突起
６２    孔
６３    鋸の歯形突起
７０    蓋
１００  石鹸
【図１】
0003575746.tif 000002
【図２】
0003575746.tif 000003
【図３】
0003575746.tif 000004
【図４】
0003575746.tif 000005